(57)【要約】【課題】厚物の外壁材の支持及び止水を容易にできる建物の止水構造。【解決手段】建物１０の外壁部１２を形成するＡＬＣパネル４０は、下面４０Ａがロッキングスペーサ５２を介してブラケット４２に支持されている。また、ＡＬＣパネル４０の間の縦目地には、シーリング材及びシールバッカーが充填されており、シーリング材による一次止水ライン６６、及びシールバッカーにより二次止水ライン６８が形成されている。ＡＬＣパネル４０の下側には、水切り部材７０の水切り本体７２が配置されており、水切り本体７２の水切り面８０Ｂが二次止水ライン６８よりも屋内側においてＡＬＣパネル２４の下面に近接されている。このため、一次止水ライン６６によって雨水等を止水できると共に、一次止水ライン６６を越えてしまった雨水等を二次止水ライン６８によって止水して屋外側に排水できる。【選択図】図１
2019031863.tif 000002
【特許請求の範囲】
【請求項１】
周囲が止水処理され、建物の外壁を構成する厚物の外壁材と、
前記外壁材の下面屋内側を基礎に支持する支持部材と、
前記支持部材と前記外壁材の下面との間に介在されるロッキングスペーサと、
前記外壁材の下面の下側に配置されて、水切り面が前記外壁材の屋外側表面と前記ロッキングスペーサとの間の位置において前記外壁材の下面に近接して配置された水切り部材と、
を備えた建物の止水構造。
【請求項２】
隣接する前記外壁材の間の目地には、該目地から屋内側への浸水を阻止する不定形の第１の止水部材が充填され、
前記水切り部材は、前記水切り面が前記第１の止水部材よりも屋内側において、前記外壁材の下面に近接されて、水平方向において前記隣接する前記外壁材に跨って配置されている請求項１に記載の建物の止水構造。
【請求項３】
前記目地において、前記第１の止水部材よりも屋内側に第２の止水部材が装着され、
前記水切り部材は、前記水切り面が前記第２の止水部材よりも屋内側において、前記外壁材の下面に近接されている請求項２に記載の建物の止水構造。
【請求項４】
前記第２の止水部材は、定形の止水材料であり、前記第１の止水部材のバックアップ材として用いられている請求項３に記載の建物の止水構造。
【請求項５】
上下に隣接する前記外壁材の間の横目地には、前記第１の止水部材と前記第２の止水部材との間に、前記外壁材との間に隙間を形成するバックアップ部材が装着されている請求項３に記載の建物の止水構造。
【発明の詳細な説明】
【技術分野】
【０００１】
本発明は、建物の止水構造に係り、ＡＬＣパネルなどの内部に中空部を有しない厚物の外壁材が用いられた建物の止水構造に関する。
【背景技術】
【０００２】
特許文献１の建物の止水構造では、各々が外壁面材の幅方向に長尺とされた縦板部と横板部とによりＬ状に形成された壁支持部材が設けられており、外壁面材の下端面が壁支持部材の横板部に当接されて、外壁面材が壁支持部材に支持されている。また、外壁面材と壁支持部材との間には、止水役物としての止水部材が配置されており、止水部材には、外壁面材の下側に水切部材が取り付けられている。
【０００３】
ここで、外壁面材には、中空部が形成されており、水切り部材には、中空部の下方に設けられた下面板部に排水孔が形成されている。これにより、特許文献１の建物の止水構造では、外壁面材の中空部に浸入して、中空部を流下した水が下面板部の排水孔に導かれることで、排水孔から排水されるようにしている。
【先行技術文献】
【特許文献】
【０００４】
【特許文献１】特開２０１５−０９４１４２号公報
【発明の概要】
【発明が解決しようとする課題】
【０００５】
ところで、建物の外壁を形成する外壁材には、厚物と呼ばれる（厚さが７５ｍｍ以上）の外壁材がある。厚物の外壁材は、厚さが７５ｍｍ以上であり、厚物の外壁材には、厚さが１００ｍｍ以上のＡＬＣパネル（外壁用ＡＬＣパネル）などがある。ＡＬＣパネルは、ＡＬＣ（軽量気泡コンクリート）が外壁用として設計及び補強されており、軽量で断熱性、耐火性に優れている。また、ＡＬＣパネルには、中空部が形成されていない所謂中実とされており、ＡＬＣパネルは、内部への雨水等の浸入を防止する止水処理がなされて用いられる。
【０００６】
一方、ＡＬＣパネルの支持には、ロッキングスペーサ（ロッキングプレートともいう）が用いられており、ＡＬＣパネルは、下面にロッキングスペーサが直接当接されて、このロッキングスペーサを介して下面が幅方向の１箇所で支持される。このため、ＡＬＣパネルなどの外壁材では、下端部から屋内側への雨水等の浸入を阻止するための止水役物を、ＡＬＣパネルの幅方向の全域に渡って設けるのが難しくなっている。
【０００７】
本発明は上記事実に鑑みてなされたものであり、厚物の外壁材の支持及び止水が容易な建物の止水構造の提供を目的とする。
【課題を解決するための手段】
【０００８】
本発明の第１の態様は、周囲が止水処理され、建物の外壁を構成する厚物の外壁材と、前記外壁材の下面屋内側を基礎に支持する支持部材と、前記支持部材と前記外壁材の下面との間に介在されるロッキングスペーサと、前記外壁材の下面の下側に配置されて、水切り面が前記外壁材の屋外側表面と前記ロッキングスペーサとの間の位置において前記外壁材の下面に近接して配置された水切り部材と、を備えている。
【０００９】
本態様における厚物の外壁材は、厚さが所定以上（少なくとも７５ｍｍ以上、好ましくは、１００ｍｍ以上）であり、少なくとも屋内側を除く全面（屋外側の面、上端面、下端面及び両側の側面）が止水処理されて用いられる。このような厚物の外壁材としては、ＡＬＣ（Autoclaved  Lightweight  aerated  Concrete：軽量気泡コンクリート）などの内部に雨水等が通る中空部（中空層）を有していない所謂中実の外壁材を適用できる。
【００１０】
第１の態様では、厚物の外壁材の下面の屋内側と支持部材との間にロッキングスペーサが介在され、支持部材がロッキングスペーサを介して外壁材の下面屋内側を基礎に支持する。ロッキングスペーサを用いて、厚物の外壁材の下面を幅方向の１箇所において支持することで、外壁材の耐震性向上が図られている。
【００１１】
また、外壁材の下面の下側には、水切り部材が設けられており、水切り部材の水切り面が、外壁材の屋外側表面とロッキングスペーサとの間において外壁材の下面に近接されている。このため、外壁材の屋外側表面に沿って流れ落ちる雨水等を屋外側に排水でき、外壁材の支持及び止水を容易にできる。
【００１２】
第２の態様は、第１の態様において、隣接する前記外壁材の間の目地には、該目地から屋内側への浸水を阻止する不定形の第１の止水部材が充填され、前記水切り部材は、前記水切り面が前記第１の止水部材よりも屋内側において、前記外壁材の下面に近接されて、水平方向において前記隣接する前記外壁材に跨って配置されている。
【００１３】
第２の態様では、隣接する外壁材の間の目地に不定形の第１の止水部材が充填されて、第１の止水部材により外壁材の間の目地から屋内側に雨水等が浸入するのを阻止（止水）している。また、水切り部材は、水切り面が第１の止水部材の屋内側において外壁材の下面に近接されている。これにより、第１の止水部材により止水されて目地を伝って流れ落ちる雨水等を、水切り部材により屋外側に排水できる。
【００１４】
第３の態様は、第２の態様において、前記目地において、前記第１の止水部材よりも屋内側に第２の止水部材が装着され、前記水切り部材は、前記水切り面が前記第２の止水部材よりも屋内側において、前記外壁材の下面に近接されている。
【００１５】
第３の態様では、第１の止水部材の屋内側に第２の止水部材を設けている。これにより、外壁材の間の止水構造を二重にできて、第１の止水部材により止水が抑制できない状態となった場合でも、第２の止水部材により止水できる。
【００１６】
また、水切り部材は、水切り面が第２の止水部材の屋内側において外壁材の下面に近接されている。これにより、第２の止水部材によって屋内側への浸入が阻止されて目地を伝って流れ落ちる雨水等を水切り部材より屋外側に排水できる。
【００１７】
第４の態様は、第３の態様において、前記第２の止水部材は、定形の止水材料であり、前記第１の止水部材のバックアップ材として用いられている。
【００１８】
第４の態様では、第２の止水部材として定形の止水材料が用いられており、第２の止水部材を不定形の第１の止水材料のバックアップ材として用いることができる。これにより、第１の止水部材として用いるシーリング材等の不定形の止水材料の目地への充填が容易になると共に、建物に生じた揺れによって目地の隙間が変化しても、第１の止水部材による止水性を維持できる。
【００１９】
第５の態様は、第３の態様において、上下に隣接する前記外壁材の間の横目地には、前記第１の止水部材と前記第２の止水部材との間に、前記外壁材との間に隙間を形成するバックアップ部材が装着されている。
【００２０】
第５の態様では、外壁材の間の目地のうちで上下に隣接する外壁材の間の横目地において、第１の止水部材と第２の止水部材との間に、第１の止水部材のバックアップ材としてのバックアップ部材が装着されている。また、定形のバックアップ部材は、横目地において第１の止水部材と第２の止水部材との間に隙間を形成している。
【００２１】
このため、不定形の止水材料を用いた第１の止水部材の横目地への充填が容易になり、止水処理のためのコスト上昇を抑制できる。また、横目地において雨水等が第１の止水部材から屋内側に浸入しても、浸入した雨水等を横目地から縦目地に流して排水できる。
【発明の効果】
【００２２】
以上説明したように第１の態様によれば、厚物の外壁材の支持及び止水を容易にできる、という効果が得られる。
【００２３】
第２の態様によれば、第１の止水部材により止水されて目地を伝って流れ落ちる雨水等を水切り部材の水切り面によって屋外側に排水できて、外壁材の屋内側に回り込むのを阻止できる、という効果が得られる。
【００２４】
第３の態様によれば、第１の止水部材及び第２の止水部材により二重の止水構造にできて、雨水等が第１の止水部材を越えても第２の止水部材によって外壁材の屋内側への浸入を阻止できると共に、目地を伝って流れ落ちる雨水等を水切り部材の水切り面により屋外側に排水できる、という効果が得られる。
【００２５】
第４の態様によれば、第１の止水部材の目地への充填が容易になると共に、目地の隙間が変化しても、第１の止水部材により確実に止水できる。
【００２６】
第５の態様によれば、横目地において雨水等が第１の止水部材を越えて第１の止水部材の屋内側に浸入しても、浸入した雨水等を縦目地に流して、縦目地から屋外側に排水できる。
【図面の簡単な説明】
【００２７】
【図１】本実施の形態に係る建物の主要部の断面図である。
【図２】図１における主要部を拡大した断面図である。
【図３】外壁部の主要部を示す上下方向に沿う断面図である。
【図４】（Ａ）は、図３の４Ａ−４Ａ線に沿う断面図、（Ｂ）は、図３の４Ｂ−４Ｂ線に沿う断面図である。
【図５】本実施の形態に係るブラケットの主要部を示す斜視図である。
【発明を実施するための形態】
【００２８】
以下に、図面を参照しながら本発明の実施の形態の一例を説明する。
図１には、本実施の形態に係る建物１０の主要部が断面図にて示されている。本実施の形態に係る建物１０は、躯体が鉄骨軸組構造とされている。なお、建物１０は、鉄骨軸組構造に限らず、各々が鉄骨によって枠組みされた複数の建物用ユニットを縦横に配列して鉄骨ラーメン構造の躯体が形成されたユニット式の建物（ユニット住宅）であってもよい。また、建物１０は、躯体が鉄骨軸組構造及び鉄骨ラーメン構造以外の構造であってもよい。
【００２９】
建物１０の周囲には、外壁としての外壁部１２が形成されており、建物１０は、周囲が外壁部１２により囲われている。図１では、建物１０における外壁部１２の下部が示されている。建物１０には、外壁部１２の下側部分にコンクリート製の基礎（土台）１４が形成されており、基礎１４は、長手方向が外壁部１２に沿って形成されている。基礎１４の上面には、支持部材を構成する矩形平板状（又は矩形ブロック状）の基礎上プレート１６が取り付けられている。基礎上プレート１６は、中央部に貫通孔１６Ａが形成されていると共に、貫通孔１６Ａを挟んだ両側（基礎１４の幅方向の両側）に図示しないボルト孔が貫通形成されている。
【００３０】
基礎１４の上面には、長手方向（建物１０において外壁部１２に沿う方向）に所定の間隔でアンカーボルト１８が立設されている。基礎上プレート１６は、貫通孔１６Ａにアンカーボルト１８が挿入されると共に、ボルト孔が屋内側及び屋内側とされて基礎１４上に配置されており、基礎上プレート１６は、アンカーボルト１８に螺合されたナット１８Ａ（ダブルナット）よって基礎１４上に締結固定されている。
【００３１】
建物１０の床下には、長尺平板状の床支持プレート２０が配置されている。床支持プレート２０は、複数の基礎上プレート１６の間に架け渡され、アンカーボルト１８の屋内側のボルト孔に螺合されたボルト２０Ａによって基礎上プレート１６上面に締結固定されている。また、建物１０には、床下地としてＡＬＣ（床用の軽量気泡コンクリート）床２２が用いられており、ＡＬＣ床２２が床支持プレート２０上に敷設されている。ＡＬＣ床２２上には、ポリエチレンフォーム等を用いた床下断熱材２４が敷き詰められ、床下断熱材２４上には、パーティクルボード等を用いた床下地材２６が敷設されている。床下断熱材２４及び床下地材２６は、ＡＬＣ床２２から屋外側（アンカーボルト１８より屋外側）に突出されており、基礎１４と基礎１４上に突出された床下断熱材２４との間には、断熱材２４Ａが詰められている。また、床下地材２６上には、床仕上げ材２８が敷き詰められ、居室３６の床が形成されている。
【００３２】
外壁部１２側の床下地材２６上には、内壁下地３０の下枠（ライナ）３０Ａが取り付けられており、内壁下地３０は、下枠３０Ａ、天井側の上枠（図示省略）及び複数の縦枠（スタッド）３０Ｂにより形成されている。内壁下地３０の屋内側には、石膏ボード等を用いた内壁下地材３２が取り付けられており、内壁下地材３２の屋内側に床仕上げ材２８が敷かれている。また、内壁下地材３２の屋内側の面には、クロスなどの壁仕上げ材（図示省略）が取り付けられ、壁仕上げ材の下端部（床仕上げ材２８側）に巾木３４が取り付けられて、居室３６の内装（内壁）が仕上げられている。また、内壁下地３０の屋外側（内壁下地材３２とは反対側）には、硬質発泡ウレタンフォーム等の発泡プラスチック系断熱材料、又はグラスウール等の繊維系断熱材料などを用いた壁用断熱材３８が取り付けられている。
【００３３】
一方、建物１０の外壁部１２には、厚物の外壁材（厚形外壁材）としてのＡＬＣパネル４０が用いられている。ＡＬＣパネル４０は、軽量気泡コンクリート（ＡＬＣ）が外壁材として補強材により補強されると共に、表面処理されて仕上げられている（裏面を除く全面が止水処理されて仕上げられている）。ＡＬＣパネル４０は、内部に中空層（中空部）が形成されていない所謂中実かつ厚物の外壁材とされている。図２には、外壁部１２の下部の主要部が拡大図にて示され、図３には、外壁部１２の主要部が上下方向に切断した断面図にて示されている。また、図４（Ａ）には、図３の４Ａ−４Ａ線の断面図が示され、図４（Ｂ）には、図３の４Ｂ−４Ｂ線の断面図が示されており、図５には、支持部材の主要部が斜視図にて示されている。
【００３４】
ＡＬＣパネル４０は、所定サイズに形成されており、複数が水平方向及び上下方向に配列されており、ＡＬＣパネル４０は、所謂ロッキング工法が用いられて建物１０に取り付けられている。本実施の形態では、ＡＬＣパネル４０として厚さが１００ｍｍの外壁用厚形が用いられており、ＡＬＣパネル４０の上下方向の長さが建物１０における階高に合わせた長さとされている。また、本実施の形態では、幅方向に隣接するＡＬＣパネル４０の間に約１０ｍｍ幅の目地を５００ｍｍ間隔（目地の中心間の間隔）で形成できるようにＡＬＣパネル４０の幅が４９０ｍｍとされている。なお、これらのＡＬＣパネル４０のサイズは一例を示すものである。
【００３５】
図１に示すように、基礎上プレート１６には、支持部材を構成するブラケット４２が取り付けられており、ブラケット４２は、各々が鋼材製とされた取付部４４及び支持部４６によって構成されている。なお、本実施の形態では、ＡＬＣパネル４０の幅寸法（詳細には、ＡＬＣパネル４０の間の目地の間隔）に合わせて、基礎上プレート１６の配置間隔（アンカーボルト１８の間隔）を５００ｍｍとしている。
【００３６】
図５に示すように、ブラケット４２の取付部４４は、矩形平板状の底板４８Ａの両側に側板４８Ｂが対で立設された略コ字状に形成されている。また、ブラケット４２の支持部４６は、例えば、所定長さのアングル材が用いられて、長尺平板状の横板５０Ａ及び横板５０Ａの幅方向の一端側から立設された縦板５０Ｂにより略Ｌ字形状に形成されている。なお、支持部４６の長さは、ＡＬＣパネル４０の幅寸法（又は目地の間隔）の略１／２とされている。
【００３７】
図１及び図５に示すように、ブラケット４２は、取付部４４の底板４８Ａと支持部４６の横板５０Ａとが同方向に向けられ、かつ支持部４６の縦板５０Ｂにおいて横板５０Ａとは反対側の面に取付部４４が配置されている。また、底板４８Ａと横板５０Ａとの間には、横板５０Ａより底板４８Ａが突出するように段差が設けられている。ブラケット４２は、支持部４６の縦板５０Ｂの長手方向の中間位置において横板５０Ａとは反対側の面に取付部４４の側板４８Ｂの各々が溶接等により接合されて、取付部４４と支持部４６とが一体的にされている。支持部４６の縦板５０Ｂには、取付部４４の一対の側板４８Ｂの間に貫通孔５０Ｃが形成されている。また、取付部４４の底板４８Ａには、一対の側板４８Ｂの間の中間位置に貫通孔４８Ｃが形成されており、貫通孔４８Ｃは、底板４８Ａにおいて取付部４４とは反対側に偏寄されて穿孔されている。
【００３８】
図１に示すように、ブラケット４２は、支持部４６が屋外側とされると共に、取付部４４の底板４８Ａ及び支持部４６の横板５０Ａが下側とされて、取付部４４の底板４８Ａが基礎上プレート１６上においてアンカーボルト１８の屋外側に配置されている。また、ブラケット４２は、取付部４４の底板４８Ａに形成された貫通孔４８Ｃに挿入されて基礎上プレート１６のボルト孔に螺合されたボルト４４Ａによって基礎上プレート１６上に締結固定されている。これにより、ブラケット４２は、基礎１４の上側において支持部４６の横板５０Ａが基礎１４の屋外側に突出され、かつ支持部４６の長手方向が基礎１４の長手方向とされて基礎１４に固定されている。
【００３９】
図１、図２及び図５に示すように、ブラケット４２には、鋼材製矩形平板状（角座状）のロッキングスペーサ（ロッキングプレート）５２が配置されている。ロッキングスペーサ５２は、支持部４６の長手方向の中間位置（貫通孔５０Ｃの下側）において横板５０Ａ上に載置されている。なお、ロッキングスペーサ５２は、矩形平板状（角座状）に限らず円板状（丸座状）等であってもよく、ロッキングスペーサ５２には、中央部に円孔等の貫通孔が穿孔されていてもよい。
【００４０】
図１及び図２に示すように、ＡＬＣパネル４０は、幅方向の中間位置がロッキングスペーサ５２に合わせられて、下面４０Ａの屋内側がブラケット４２の支持部４６の横板５０Ａ上に載せられている。
【００４１】
また、図１に示すように、支持部４６の縦板５０Ｂの貫通孔５０Ｃには、座金４６Ｂを介して固定ボルト４６Ａが挿入されており、固定ボルト４６ＡがＡＬＣパネル４０に螺合されている。これにより、ＡＬＣパネル４０は、幅方向の中間部の１箇所（一点）において、ロッキングスペーサ５２を介してブラケット４２の横板５０Ａ上に支持され、基礎１４に支持されている。なお、ＡＬＣパネル４０は、上端側が建物１０の図示しない梁に連結されることで、建物１０に固定される。また、固定ボルト４６Ａとしては、ＡＬＣパネル４０に螺合固定されるものであればよく、オールアンカ、トルコンアンカなどに用いるボルトであってもよい。
【００４２】
一方、図３に示すように、互いに隣接して配置されるＡＬＣパネル４０の間には、目地５４が形成される。目地５４は、水平方向に隣接するＡＬＣパネル４０の間で上下方向に延在された縦目地５４Ａ、及び上下方向に隣接するＡＬＣパネル４０の間で横方向（水平方向）に延在された横目地５４Ｂを含んでいる。目地５４（縦目地５４Ａ及び横目地５４Ｂ）は、止水処理されており、以下に目地５４の止水処理を説明する。
【００４３】
図３、図４（Ａ）及び図４（Ｂ）に示すように、縦目地５４Ａ及び横目地５４Ｂには、ＡＬＣパネル４０の幅方向の中間部となる位置に耐火目地材５６が装着されている（詰められている）。耐火目地材５６は、横目地５４Ｂ側が縦目地５４Ａ側よりも屋内側（屋外側から見て奥側）に配置されると共に、横目地５４Ｂの上側の縦目地５４Ａ側よりも横目地５４Ｂの下側の縦目地５４Ａ側が屋内側に配置されている。また、耐火目地材５６は、縦目地５４Ａと横目地５４Ｂとの交差部分において互いに重なるように配置されて、縦目地５４Ａ及び横目地５４Ｂの各々においてＡＬＣパネル４０の間に詰め込まれている。これにより、互いに隣接するＡＬＣパネル４０の間の隙間（縦目地５４Ａ及び横目地５４Ｂ）が、耐火目地材５６によって緊密に閉塞されて、外壁部１２が耐火壁とされている。
【００４４】
縦目地５４Ａには、第２の止水部材としてのシールバッカー５８が配置されており、シールバッカー５８は、定形の止水材料（ガスケット）が用いられ、耐火目地材５６の屋外側に装着されている（詰められている）。図４（Ａ）及び図４（Ｂ）に示すように、シールバッカー５８は、長尺の基体５８Ａから複数対のリブ５８Ｂが突設されており、リブ５８Ｂは、基体５８Ａの長手方向に延伸されている。また、シールバッカー５８は、基体５８Ａ及びリブ５８Ｂの各々が弾性変形可能とされている。
【００４５】
シールバッカー５８は、基体５８Ａの長手方向が縦目地５４Ａの目地方向（溝方向）とされて、ＡＬＣパネル４０の間（縦目地５４Ａ内）に装着されている。これにより、シールバッカー５８は、リブ５８Ｂが弾性変形されて縦目地５４Ａ内に配置され、リブ５８Ｂが弾性力によってＡＬＣパネル４０の表面に緊密に接して、縦目地５４Ａ内における耐火目地材５６の屋外側を止水している。また、縦目地５４Ａ内においてシールバッカー５８の基体５８Ａ及びリブ５８Ｂの表面に水滴（雨水）等が付着した場合に、付着した雨水等が基体５８Ａ及びリブ５８Ｂの表面に沿って流下可能とされている。なお、図３に示すように、縦目地５４Ａ内において２本のシールバッカー５８を繋ぐ場合、下側のシールバッカー５８の屋外側に上側のシールバッカー５８が重ねられている。これにより、縦目地５４Ａ内においてシールバッカー５８に沿って流下する水滴等がシールバッカー５８の屋内側（耐火目地材５６側）に回り込むのを阻止している。
【００４６】
図３及び図４（Ｂ）に示すように、横目地５４Ｂには、第２の止水部材としてのシールバッカー６０が配置されており、シールバッカー６０は、定形の止水材料（ガスケット）が用いられ、断面矩形の長尺状かつ弾性変形可能とされている。シールバッカー６０は、長手方向が横目地５４Ｂの目地方向（溝方向）とされて、耐火目地材５６の屋外側において上下に隣接するＡＬＣパネル４０の間（横目地５４Ｂ）に装着されている。シールバッカー６０は、弾性変形されて横目地５４Ｂ内に装着されることで、弾性力によってＡＬＣパネル４０の表面に緊密に接して、耐火目地材５６の屋外側において止水している。
【００４７】
また、横目地５４Ｂには、バックアップ部材としての丸バッカー６２が配置されており、丸バッカー６２には、長尺かつ断面略円形で弾性変形可能なバックアップ材料が用いられている。丸バッカー６２は、２本の縦目地５４Ａの間において横目地５４Ｂに装着されている。横目地５４Ｂ内では、縦目地５４Ａの間において、丸バッカー６２の外周部分とＡＬＣパネル４０との間に隙間が形成され、この隙間を伝って雨水等が縦目地５４Ａ側に流動可能とされている。
【００４８】
図３、図４（Ａ）及び図４（Ｂ）に示すように、縦目地５４Ａ及び横目地５４Ｂには、第１の止水部材としてのシーリング材６４が充填されており、シーリング材６４には、不定形の止水材料が用いられている。縦目地５４Ａにおいてシーリング材６４は、シールバッカー５８がバックアップ部材とされて、シールバッカー５８の屋外側に充填されているまた、横目地５４Ｂにおいて、シーリング材６４は、丸バッカー６２がバックアップ部材とされて、丸バッカー６２の屋外側に充填されている。
【００４９】
これにより、目地５４がシーリング材６４によって目地埋めされており、シーリング材６４は、ＡＬＣパネル４０の間において二面接触されて充填されている。また、建物１０の外壁部１２には、シーリング材６４によって目地５４（縦目地５４Ａ及び横目地５４Ｂ）への雨水等の浸入を阻止する止水ライン（一次止水ライン）６６が形成されている。さらに、外壁部１２には、シーリング材６４の屋内側に充填されたシールバッカー５８、６０によって一次止水ライン６６の屋内側に止水ライン（二次止水ライン）６８が形成されている。本実施の形態では、一次止水ライン６６をシーリング材６４の屋内側端部とし、二次止水ライン６８をシールバッカー５８の屋内側端部としている。
【００５０】
二次止水ライン６８は、一次止水ライン６６を越えて浸入した雨水等を、縦目地５４Ａに設けているシールバッカー５８、及び横目地５４Ｂに設けているシールバッカー６０によって止水する。また、縦目地５４Ａのシールバッカー５８及び横目地５４Ｂの丸バッカー６２は、一次止水ライン６６を越えて浸入した雨水等を二次止水ライン６８の手前（屋外側）で排出可能とする排水経路を形成している。
【００５１】
一方、図１及び図２に示すように、ＡＬＣパネル４０の下側には、水切り部及び化粧部が構成された水切り部材７０が設けられている。水切り部材７０は、各々がアルミニウム製とされた水切り本体７２及び支持金具７４を備えており、支持金具７４がブラケット４２の支持部４６側に配置され、水切り本体７２が支持金具７４の屋外側に配置されている。
【００５２】
ブラケット４２の支持部４６には、長手方向の両端側において横板５０Ａの下側に固定金具７６が配置されている。図２に示すように、固定金具７６は、各々が平板状とされた基部７６Ａ及び立下り部７６Ｂにより略Ｌ字形状に形成されており、固定金具７６は、ブラケット４２の支持部４６の長手方向の両端側に配置されている。固定金具７６は、基部７６Ａがブラケット４２の横板５０Ａの下面側とされ、基部７６Ａの屋外側において立下り部７６Ｂが下方に向けられており、固定金具７６は、基部７６Ａが横板５０Ａの下面に接合されて取り付けられている。
【００５３】
水切り部材７０の支持金具７４は、押出成形により長尺に形成されたものを所定長さに切断して用いられている。支持金具７４は、ブラケット４２に固定された固定金具７６の各々の屋外側に配置されており、支持金具７４は、基礎１４の長手方向に沿って所定の間隔で複数配置されている。
【００５４】
支持金具７４には、略平板状の基板部７８Ａが設けられており、支持金具７４は、基板部７８Ａが上下方向とされて、固定金具７６の立下り部７６Ｂの屋外側に配置されている。支持金具７４の基板部７８Ａには、係合凹部を形成する係合部７８Ｂが上下に対で設けられており、係合部７８Ｂが基板部７８Ａの上部及び下部から屋外側（固定金具７６とは反対側）に突出されている。また、係合部７８Ｂの突出先端側には、互いに接近する方向に突出された突部７８Ｃが形成されている。さらに、支持金具７４の基板部７８Ａには、当接部７８Ｄが設けられており、当接部７８Ｄは、基板部７８Ａから略上方に延設されると共に屋外側に折り曲げられ、折り曲げ先端側（上端側）がさらに上方に向けて折り曲げられている。
【００５５】
支持金具７４は、ブラケット４２の横板５０Ａよりも屋外側において当接部７８Ｄの先端がＡＬＣパネル４０の下面４０Ａに当接されて位置決めされている。また、支持金具７４は、当接部７８ＤがＡＬＣパネル４０の下面４０Ａに位置決めされた状態で、基板部７８Ａと固定金具７６の立下り部７６Ｂとにスクリューねじなどのねじ７４Ａが螺合されて固定金具７６に締結固定されている。
【００５６】
水切り部材７０の水切り本体７２は、押出成形により長尺に形成されており、水切り本体７２には、略平板状の基板部８０Ａが形成されている。基板部８０Ａは、一方の面が水切り面８０Ｂとされており、水切り面８０Ｂは化粧面を兼ねている。基板部８０Ａは、長手方向が基礎１４の長手方向とされると共に、幅方向が上下方向とされ、かつ水切り面８０Ｂが屋外側に向けられている。また、水切り本体７２の基板部８０Ａは、ブラケット４２に取り付けられた複数の支持金具７４の各々の屋外側において、支持金具７４の基板部７８Ａに対向されている。
【００５７】
水切り本体７２の基板部８０Ａには、係合凸部を形成する被係合部８０Ｃが上下に対で設けられている。被係合部８０Ｃは、基板部８０Ａの水切り面８０Ｂとは反対側の面から支持金具７４の一対の係合部７８Ｂに向けて突出されていると共に、基板部８０Ａの長手方向に延伸されている。被係合部８０Ｃの突出先端側には、被係合部８０Ｃが互いに接近する方向に折り曲げられて凹部８０Ｄが形成されている。
【００５８】
水切り本体７２は、一対の被係合部８０Ｃが、支持金具７４の一対の係合部７８Ｂの間に挿入されて、被係合部８０Ｃの凹部８０Ｄ内に係合部７８Ｂの突部７８Ｃが入り込むことで被係合部８０Ｃが係合部７８Ｂに係合されている。水切り本体７２は、被係合部８０Ｃが係合部７８Ｂに係合されることで支持金具７４に取り付けられている。水切り本体７２の基板部８０Ａは、支持金具７４に取り付けられた状態において、下端の水平位置が基礎１４上端の水平位置より下側となる長さとされている。また、水切り本体７２は、一対の被係合部８０Ｃを互いに接近する方向に弾性変形させるか或いは一対の係合部７８Ｂを互いに離間する方向に弾性変形させることで、支持金具７４との係合が解除される。これにより、水切り本体７２が支持金具７４から取り外される（着脱可能にされている）。
【００５９】
水切り本体７２の基板部８０Ａには、傾斜部８０Ｅが設けられている。傾斜部８０Ｅは、基板部８０Ａから上方に延設されると共に基板部８０Ａから離れる（ＡＬＣパネル４０の下面４０Ａに接近する）に従って支持金具７４の当接部７８Ｄ（ＡＬＣパネル４０の下面４０Ａにおける当接部７８Ｄの当接位置）に接近するように傾斜されている。また、水切り本体７２は、支持金具７４に取り付けられた状態において、傾斜部８０Ｅの上端（先端）がＡＬＣパネル４０に形成されている二次止水ライン６８よりも屋内側とされている。これにより、水切り本体７２では、水切り面８０ＢがＡＬＣパネル４０に向けて延伸されて、二次止水ライン６８よりも屋内側においてＡＬＣパネル４０の下面４０Ａに近接されている。
【００６０】
水切り本体７２には、横基板部８２Ａが設けられている。横基板部８２Ａは、基板部８０Ａの下端近傍から屋内側（支持金具７４の下側）に向けて延設されていると共に、基板部８０Ａの長手方向に延伸されている。また、横基板部８２Ａの延設先端部は、支持金具７４より基礎１４側に突出する長さとされており、横基板部８２Ａの屋内側先端部には、防鼠板取付部８２Ｂが形成されている。防鼠板取付部８２Ｂは、横基板部８２Ａから上方に突出されると共に、突出先端部が横基板部８２Ａと略平行とされて屋内側（基礎１４）側に折り曲げられており、防鼠板取付部８２Ｂは、横基板部８２Ａ（基板部８０Ａ）の長手方向に延伸されている。
【００６１】
防鼠板取付部８２Ｂの上面には、防鼠板８４の屋外側端部が配置されている。防鼠板８４は、長尺略平板状に形成されており、長手方向が基礎１４（水切り本体７２）の長手方向とされている。また、防鼠板８４の幅方向の中間部には、段差部８４Ａが形成されており、防鼠板８４は、段差部８４Ａにおいて略Ｚ字形状に折り曲げられている。
【００６２】
防鼠板８４は、段差部８４Ａの下側が横基板部８２Ａの屋内側先端部上面に当接されると共に、段差部８４Ａの上側（屋外側）が防鼠板取付部８２Ｂの上面に載せられ、スクリューねじ等のねじ（図示省略）によって防鼠板取付部８２Ｂに締結固定されている。また、防鼠板８４は、段差部８４Ａから屋内側に延伸され、延伸先端が基礎１４の上面近傍に配置されている。
【００６３】
これにより、屋外側から見たＡＬＣパネル４０と基礎１４との間が、基板部８０Ａ（水切り面８０Ｂ）により閉じられている（隠されている）。また、地面側から見て水切り本体７２の基板部８０Ａと基礎１４との間の隙間が、横基板部８２Ａ及び防鼠板８４により閉じられて、床下への鼠等の小動物の侵入が防止されている。なお、水切り本体７２の横基板部８２Ａには、基板部８０Ａと防鼠板取付部８２Ｂとの間に複数の水抜き孔８２Ｃが穿孔されており、水抜き孔８２Ｃよって換気、及び結露等により水切り本体７２の表面に付着した水滴等の排出が可能とされている。また、防鼠板８４には、複数の通気孔（図示省略）が穿孔されており、通気孔によって換気が可能とされている。
【００６４】
このように構成されている建物１０では、基礎１４に基礎上プレート１６が取り付けられており、この基礎上プレート１６には、ブラケット４２が取り付けられている。ブラケット４２には、支持部４６が設けられて、支持部４６の横板５０Ａ上にロッキングスペーサ５２が配置されている。ＡＬＣパネル４０は、下面４０Ａが支持部４６の横板５０Ａ上に載置される。これにより、ＡＬＣパネル４０は、下面４０Ａがロッキングスペーサ５２によって幅方向中間位置の１箇所（略一点）で支持されて、基礎１４に支持されている。
【００６５】
ところで、外壁部１２では、互いに隣接するＡＬＣパネル４０の間の目地５４に耐火目地材５６が装着されている。また、目地５４の縦目地５４Ａには、シールバッカー５８が装着されると共に、シールバッカー５８がバックアップ材とされてシーリング材６４が充填されている。目地５４の横目地５４Ｂには、シールバッカー６０が装着されると共に、丸バッカー６２が装着されて、丸バッカー６２がバックアップ部材とされてシーリング材６４が充填されている。
【００６６】
これにより、シーリング材６４の充填が容易となっていると共に、シーリング材６４を二面接触で目地５４に充填できる。また、ＡＬＣパネル４０が振動するなどして目地５４の幅（ＡＬＣパネル４０の間隔）が変化しても、シーリング材６４によって目地５４を止水できて、一次止水ライン６６（シーリング材６４）によって止水して、止水した雨水等を、一次止水ライン６６（シーリング材６４表面）を伝って流下させることができる。
【００６７】
建物１０の外壁部１２には、シールバッカー５８、６０によって一次止水ライン６６の屋内側に二次止水ライン６８が形成されている。このため、仮にシーリング材６４の止水性能が低下してシーリング材６４の屋内側に雨水等が浸み込んでも、浸み込んだ雨水等をシールバッカー５８、６０によって止水できる。
【００６８】
さらに、縦目地５４Ａでは、シールバッカー５８によって止水された雨水等がシールバッカー５８の表面を伝って流れ落ちる。また、横目地５４Ｂでは、シールバッカー６０によって止水された雨水等が丸バッカー６２の周囲に形成された隙間を伝って縦目地５４Ａへ向けて流れる。このため、シールバッカー５８、６０によって止水された雨水等が、縦目地５４Ａのシールバッカー５８の表面（二次止水ライン６８）を伝って縦目地５４Ａ内を流れ落ちる。
【００６９】
一方、ＡＬＣパネル４０の下側には、水切り部材７０が配置されており、水切り部材７０の水切り本体７２（基板部８０Ａ及び傾斜部８０Ｅ）によってＡＬＣパネル４０の下端と基礎１４との間の隙間が隠されている。また、基板部８０Ａには、水切り面８０Ｂが設けられており、水切り面８０Ｂが屋外側に向けられており、水切り本体７２は、化粧面としての水切り面８０Ｂによって美観が向上されている。
【００７０】
水切り部材７０には、基板部８０Ａの上端から傾斜部８０Ｅが延設されて、水切り面８０Ｂが延伸されている。また、傾斜部８０Ｅの先端（上端）が目地５４に形成された一次止水ライン６６及び二次止水ライン６８の何れよりも屋内側においてＡＬＣパネル４０の下面４０Ａに近接されて、水切り面８０Ｂが二次止水ライン６８の何れよりも屋内側においてＡＬＣパネル４０の下面４０Ａに近接されている。このため、ＡＬＣパネル４０の表面（屋外側の表面）を流れ落ちた雨水等は、ＡＬＣパネル４０の下端から直接落下するか水切り本体７２の水切り面８０Ｂを伝って流れ落ちる。これにより、ＡＬＣパネル４０の表面に付着した雨水等を屋外側に排水できる。
【００７１】
また、目地５４のシーリング材６４によって止水された雨水等は、縦目地５４Ａのシーリング材６４（一次止水ライン６６）を伝って流れ落ちる。このため、ＡＬＣパネル４０の目地５４（縦目地５４Ａ）を流れ落ちた雨水等は、水切り本体７２の水切り面８０Ｂに流れ落ち、ＡＬＣパネル４０の目地５４に付着した雨水等を屋外側に排水できる。
【００７２】
さらに、縦目地５４Ａにおいて雨水等がシーリング材６４を越えた場合、この雨水等がシールバッカー５８によって止水されて、シールバッカー５８（二次止水ライン６８）を伝って縦目地５４Ａ内を流れ落ちる。また、横目地５４Ｂにおいて雨水等がシーリング材６４を越えた場合、この雨水等がシールバッカー６０によって止水されて、丸バッカー６２の周囲を伝って横目地５４Ｂ内を流れると共に、シールバッカー５８（二次止水ライン６８）を伝って縦目地５４Ａ内を流れ落ちる。
【００７３】
ここで、水切り本体７２の水切り面８０Ｂは、二次止水ライン６８より屋内側においてＡＬＣパネル４０の下面４０Ａに近接され、下側にいくに従って屋外側となるように傾斜されている。このため、二次止水ライン６８に沿って目地５４（縦目地５４Ａ）内を流れ落ちた雨水等は、水切り本体７２の水切り面８０Ｂを伝って流れ落ちるので、シーリング材６４の止水性能が低下しても、ＡＬＣパネル４０の目地５４に付着した雨水等を確実に止水して屋外側に排出できる。
【００７４】
このように、ＡＬＣパネル４０により形成された外壁部１２は、目地５４に形成された一次止水ライン６６により止水できると共に、一次止水ライン６６で止水できないという事態が生じた場合でも、二次止水ライン６８によって確実に止水できる。また、一次止水ライン６６又は二次止水ライン６８によって止水された雨水等は、水切り部材７０の水切り本体７２の水切り面８０Ｂによって基礎１４の屋外側に排水できるので、雨水等が基礎１４の屋内側に回り込んでしまうのを確実に防止できる。
【００７５】
また、ＡＬＣパネル４０により形成される外壁部１２の目地５４にシーリング材６４及びシールバッカー５８、６０を充填すると共に、水切り本体７２の上方から延伸された水切り面８０Ｂを、シールバッカー５８、６０により形成される二次止水ライン６８よりも屋内側においてＡＬＣパネル４０の下面４０Ａに近接させることができる。これにより、簡単な構成で、外壁部１２を止水できると共に、外壁部１２の止水の施工を容易にできて、止水のための施工コストを抑制できる。
【００７６】
なお、以上説明した本実施の形態では、厚物の外壁材としてＡＬＣパネル４０を適用した。しかしながら、本発明に適用される外壁材は、所謂厚物の外壁材において、内部に雨水等が浸入する中空部が形成されておらず、かつ周囲（少なくとも屋内側を除く全周）が止水処理され、内部への雨水等の浸入が阻止されている外壁材であればよい。
【符号の説明】
【００７７】
１０    建物
１２    外壁部
１４    基礎
１６    基礎上プレート
４０    ＡＬＣパネル（外壁材）
４２    ブラケット（支持部材）
４４    取付部
４６    支持部（支持部材）
５０Ａ    横板
５２    ロッキングスペーサ
５４    目地
５４Ａ    縦目地
５４Ｂ    横目地
５６    耐火目地材
５８、６０    シールバッカー（第２の止水部材）
６２    丸バッカー（バックアップ部材）
６４    シーリング材（第１の止水部材）
６６    一次止水ライン
６８    二次止水ライン
７０    水切り部材（水切り部）
７２    水切り本体
７４    支持金具
８０Ａ    基板部
８０Ｂ    水切り面
８０Ｅ    傾斜部
【図１】
2019031863.tif 000003
【図２】
2019031863.tif 000004
【図３】
2019031863.tif 000005
【図４】
2019031863.tif 000006
【図５】
2019031863.tif 000007